(57)【要約】 【課題】  従来のインレット型ノイズフィルタの機能を有し、かつＰＬＣ用の通信回路と直接に接続可能にパッケージ化されたインレット型ノイズフィルタを提供すること。【解決手段】  箱状の筐体１と、筐体１の一面に設置されたＡＣ電源入力側端子２と、筐体１内に設置されＡＣ電源入力側端子２に接続された電力線搬送信号を通過するカップリング回路３および電源ノイズフィルタ回路４と、筐体１の他の面に設置したカップリング回路３の出力端子５および電源ノイズフィルタ回路４の出力端子６とを有している。また、カップリング回路３は高域通過フィルタとＡＣ電源ラインとの絶縁分離を行うモデムトランス７からなり、その高域通過フィルタはコンデンサ素子８からなっている。【選択図】  図１
2008283244.tif 000002
【特許請求の範囲】
【請求項１】
箱状の筐体と、該筐体の一面に設置されたＡＣ電源入力側端子と、前記筐体内に設置され前記ＡＣ電源入力側端子に接続された電力線搬送信号を通過するカップリング回路および電源ノイズフィルタ回路と、前記筐体の他の面に設置した前記カップリング回路の出力端子および前記電源ノイズフィルタ回路の出力端子とを有することを特徴とするインレット型ノイズフィルタ。
【請求項２】
前記カップリング回路は高域通過フィルタとモデムトランスからなることを特徴とする請求項１記載のインレット型ノイズフィルタ。
【請求項３】
前記カップリング回路の高域通過フィルタはコンデンサ素子からなることを特徴とする請求項２記載のインレット型ノイズフィルタ。
【請求項４】
前記カップリング回路は２ＭＨｚ〜３０ＭＨｚの電力線搬送信号を通過するカップリング回路であることを特徴とする請求項１〜３のいずれか１項記載のインレット型ノイズフィルタ。
【発明の詳細な説明】
【技術分野】
【０００１】
本発明は、電気機器のＡＣ電源入力部分に使用されるノイズフィルタ回路を内蔵したインレット型ノイズフィルタに関するものであり、特に電力線搬送通信用回路を有する電気機器にそのまま適用可能なインレット型ノイズフィルタに関するものである。
【背景技術】
【０００２】
通常、家庭や職場などのＡＣ電源ラインには様々なノイズが混入している。パソコンやスイッチング電源から発生する高周波ノイズ、リレーやモーターなどから発生するパルス状のノイズ、さらには雷などによる大きなサージ性ノイズなどである。電気機器をＡＣ電源ラインに接続する場合、電気機器の誤動作や故障を防ぐため上記のようなノイズから電気機器を防御し、またその電気機器が発生するノイズを遮断する必要がある。そこで一般的にＡＣ電源ラインとの接続では電気機器の入力部に電源ノイズフィルタ回路が挿入される。特に電源ソケット内に電源ノイズフィルタ回路を内蔵したインレット型ノイズフィルタはパッケージ化されているため小型で使い易く汎用性があることから多くの電気機器に内蔵されている。特許文献１および２にこのような従来のインレット型ノイズフィルタが示されている。
【０００３】
図３は従来のインレット型ノイズフィルタの代表的な外観を示す図であり、図３（ａ）は正面図、図３（ｂ）は側面図である。図４は従来のインレット型ノイズフィルタの電源ノイズフィルタ回路の代表的な一例を示す図である。図３に示すように、箱状の筐体３１と、筐体３１の一面に設置されたＡＣ電源入力側端子３２と、筐体内に設置されたＡＣ電源入力側端子３２に接続された電源ノイズフィルタ回路と、筐体３１の機器内部側の面に設置した電源ノイズフィルタ回路の出力端子３３とを有している。
【０００４】
また、図４において、電源ノイズフィルタ回路は高周波のノイズを遮断するためコモンモードチョークコイル３６とコンデンサ素子３７を組み合わせて構成されている。なお、図４ではアース端子は省略して示している。
【０００５】
一方、近年のインターネットの普及は目覚しく、家庭でもインターネットへのアクセス環境の重要性が増しており、そのアクセスを簡易化する手段として電力線搬送通信、すなわち、ＰＬＣ（Power  Line  Communication）が注目されている。既存の屋内配線であるＡＣ電源ラインの電源コンセントに差し込むだけで回線が接続されるので、新たな配線工事なしでパソコンがインターネットに接続され、また、電気機器を接続するホームネットワークなどが容易に構築されることになる。ＰＬＣの通信速度も２〜３０ＭＨｚ帯の利用が認められ、大容量の情報の通信が可能となっている。
【０００６】
現状では主としてＡＣ電源ラインにＰＬＣ用装置を接続し、そこからパソコンなどに接続して通信を行っているが、パソコンやテレビなどの電気機器の内部にＰＬＣ用の通信回路を内蔵すれば外付けのＰＬＣ用装置が不要となる。また、各電気機器がＰＬＣ用の通信回路を内蔵すればそれらの機器間の通信を行うことができ、様々な情報のやり取りや相互の制御などが可能となる。
【０００７】
【特許文献１】実用新案登録第２５０５２２２号公報
【特許文献２】実用新案登録第２５５３７５２号公報
【発明の開示】
【発明が解決しようとする課題】
【０００８】
従来のインレット型ノイズフィルタを設置した電気機器において、上記のようにＰＬＣ用の通信回路を内蔵した場合にはインレット型ノイズフィルタの出力端子側からはＰＬＣ用の信号を取り出すことはできない。
【０００９】
図５は、電気機器の従来のインレット型ノイズフィルタ５４の出力端子３３側にＰＬＣ用の通信回路５０を接続した場合の回路構成図を示す。通信回路５０の入力側には電源回路５２との絶縁およびＰＬＣ信号以外のノイズの遮断のためのカップリング回路５１を設置し、上記出力端子３３に接続されている。この場合、ＡＣ電源ラインからＰＬＣ信号が入力されてもその信号は高周波信号を遮断する電源ノイズフィルタ回路５４により遮断されてしまい、また、通信回路５０から送出されるＰＬＣ信号も電源ノイズフィルタ回路５４により遮断されてしまう。
【００１０】
そこで、ＰＬＣ用の通信回路を内蔵する場合には、図５の接続ではなく、インレット型ノイズフィルタとは別にＡＣ電源ラインから直接接続される端子やソケット等を電気機器に設け、そこに上記カップリング回路５１を接続する必要がある。この場合、別のソケット等を必要とすることから、インレット型ノイズフィルタの有する電源との接続部分がパッケージ化されて小型で使い易いという特徴が損なわれ電源回路部分が複雑化し、またコスト増加を招く。
【００１１】
そこで、本発明の課題は、従来のインレット型ノイズフィルタの機能を有し、かつＰＬＣ用の通信回路と直接に接続可能にパッケージ化されたインレット型ノイズフィルタを提供することにある。
【課題を解決するための手段】
【００１２】
上記課題を解決するため、本発明によるインレット型ノイズフィルタは、箱状の筐体と、該筐体の一面に設置されたＡＣ電源入力側端子と、前記筐体内に設置され前記ＡＣ電源入力側端子に接続された電力線搬送信号を通過するカップリング回路および電源ノイズフィルタ回路と、前記筐体の他の面に設置した前記カップリング回路の出力端子および前記電源ノイズフィルタ回路の出力端子とを有することを特徴とする。
【００１３】
また、前記カップリング回路は高域通過フィルタとモデムトランスから構成されてもよく、その高域通過フィルタはコンデンサ素子により構成されてもよい。
【００１４】
また、前記カップリング回路は２ＭＨｚ〜３０ＭＨｚの電力線搬送信号を通過するカップリング回路であってもよい。
【発明の効果】
【００１５】
上記の構成により、本発明のインレット型ノイズフィルタは従来の電源ノイズフィルタ回路およびその出力端子に加えて、ＰＬＣ用のカップリング回路およびその出力端子を備えており、これにより、従来のインレット型ノイズフィルタの機能を有し、かつＰＬＣ用の通信回路と直接に接続可能にパッケージ化されたインレット型ノイズフィルタが得られる。
【発明を実施するための最良の形態】
【００１６】
以下、図面を参照して本発明の実施の形態を説明する。
【００１７】
図１は、本発明によるインレット型ノイズフィルタの一実施の形態を説明するための図であり、本発明によるインレット型ノイズフィルタの回路構成の一例を示す図である。本実施の形態のインレット型ノイズフィルタも図３に示した従来のインレット型ノイズフィルタと同様に端子を設置した筐体に収納されているが、図１においては筐体および出力端子は模式的に示している。図１において、箱状の筐体１と、筐体１の一面に設置されたＡＣ電源入力側端子２と、筐体１内に設置されたＡＣ電源入力側端子２に接続された電力線搬送信号を通過するカップリング回路３および電源ノイズフィルタ回路４と、筐体１の他の面に設置したカップリング回路３の出力端子５および電源ノイズフィルタ回路４の出力端子６とを有している。
【００１８】
また、カップリング回路３は、高域通過フィルタとＡＣ電源ラインとの絶縁分離を行うモデムトランス７からなり、その高域通過フィルタはコンデンサ素子８からなっている。ここで、カップリング回路３は２ＭＨｚ〜３０ＭＨｚの電力線搬送信号を通過するようにモデムトランス７とコンデンサ素子８の値が定められている。
【００１９】
図２は、本実施の形態のインレット型ノイズフィルタを電気機器に内蔵した場合の構成を示す図である。図２において、図１を参照すると、ＰＬＣ用の通信回路５０はカップリング回路３の出力端子５に接続され、電源回路５２は電源ノイズフィルタ回路４の出力端子６に接続される。これにより、ＰＬＣ用の通信回路５０にはＡＣ電源ラインよりＰＬＣ信号がコンデンサ素子８からなる高域通過フィルタとモデムトランス７を通して入力され、また通信回路５０からのＰＬＣ信号がＡＣ電源ラインに伝搬される。また、電気機器の電源回路には従来と同様な電源ノイズフィルタ回路４により高周波のノイズが遮断されてＡＣ電源が供給される。
【００２０】
上述のように、本実施の形態のインレット型ノイズフィルタを従来のインレット型ノイズフィルタに置き換えて電気機器に内蔵させることにより、別のＡＣ電源ライン用のソケット等を必要とすることなく、電源との接続部分がパッケージ化されて小型で使い易いというインレット型ノイズフィルタの特徴が損なわれることなく、ＰＬＣ用の通信回路を内蔵した電気機器の情報化が可能となる。また、従来のインレット型ノイズフィルタを使用する場合のように電源回路部分が複雑化し、またコスト増加を招くこともない。
【００２１】
以上のように、本発明により従来のインレット型ノイズフィルタの機能を有し、かつＰＬＣ用の通信回路と直接に接続可能にパッケージ化されたインレット型ノイズフィルタが得られる。
【００２２】
なお、本発明は上記の実施の形態に限定されるものではないことは言うまでもなく、本発明に使用する筐体、出力端子およびそれらの形状、電源ノイズフィルタ回路やカップリング回路などは目的に合わせて任意に設計することができる。例えばカップリング回路の１つのコンデンサ素子の代わりにコンデンサ素子、コイル素子、コンデンサ素子を直列に接続した高域通過フィルタを用いることもできる。また、本発明はモジュール形態のノイズフィルタとして応用することも可能である。
【図面の簡単な説明】
【００２３】
【図１】本発明によるインレット型ノイズフィルタの一実施の形態を説明するための図であり、回路構成の一例を示す図。
【図２】本実施の形態のインレット型ノイズフィルタを電気機器に内蔵した場合の構成を示す図。
【図３】従来のインレット型ノイズフィルタの代表的な外観を示す図であり、図３（ａ）は正面図、図３（ｂ）は側面図。
【図４】従来のインレット型ノイズフィルタの電源ノイズフィルタ回路の代表的な一例を示す図。
【図５】電気機器の従来のインレット型ノイズフィルタの出力端子側にＰＬＣ用の通信回路を接続した場合の回路構成図。
【符号の説明】
【００２４】
１、３１    筐体
２、３２    ＡＣ電源入力側端子
３、５１    カップリング回路
４、５４    電源ノイズフィルタ回路
５、６、３３    出力端子
７  モデムトランス
８、３７    コンデンサ素子
１０    インレット型ノイズフィルタ
５０    通信回路
５２    電源回路
【図１】
2008283244.tif 000003
【図２】
2008283244.tif 000004
【図３】
2008283244.tif 000005
【図４】
2008283244.tif 000006
【図５】
2008283244.tif 000007